(57)【特許請求の範囲】
【請求項１】
装置本体を遊技盤に取り付けるための台板の前方に球入賞ボックスを突設して、この球入賞ボックスの上面に、大入賞口と、大入賞口の上を水平方向にスライドして当該大入賞口を開閉するシャッター板とを設けるとともに、このシャッター板の上面に大入賞口の方向に向かって低く傾斜したレールを設け、レール上に落下してきた球を大入賞口の方向に案内して入賞させることを特徴とする請求項１に記載のパチンコ機の大入賞装置。
【請求項２】
装置本体内にソレノイドによって作動されるレバーを配し、このレバーの一端をシャッター板に接続したうえに、他端にソレノイドのプランジャと係合する二股を設け、当該二股の先端には、プランジャの前進状態時および後退状態時に、プランジャの頭部側面に直交して当接可能な先端面をそれぞれ設けたことを特徴とする請求項１に記載のパチンコ機の大入賞装置。
【発明の詳細な説明】
【技術分野】
【０００１】
本発明は、パチンコ機の大入賞装置の改良に関するものである。
【背景技術】
【０００２】
パチンコ機の遊技盤に配設される大入賞装置として、通常は閉鎖状態に維持される開閉扉を前面に備えたものが知られている。特許文献１に開示されたものは、起立する開閉扉を前方に回動して大入賞口を開放し、回動された開閉扉の裏面で球を受け止めて、球を入賞装置内に導くことができる。
【０００３】
しかしながら、以上のような開閉扉を備えた大入賞装置はありふれていて変化に乏しく、遊技の興趣に欠けるものであった。また、開閉扉は閉鎖状態にあるときには、遊技の内容になんら関与しないものであった。また、近年画像表示装置の大型化に伴い、遊技領域全体に占めるその他の遊技部品の設置スペースが制限される傾向にあるが、上記したような開閉扉を前方に回動させるような構造の大入賞装置における開閉扉の起立時の縦幅は、開閉扉開放時に、遊技盤の前方に設けられたガラス板と開閉扉の上端部との間に球噛みが生じないようにするために、一定以上必要である。よって、起立時の開閉扉の縦幅以下には入賞装置を薄型化できないという限界があった。さらに、開閉扉開放時に大入賞口へ球が予め設定された数だけ入賞したのち即座に開閉扉を閉じても、開閉扉上に存在していた球は開閉扉の内側に導入され入賞球として扱われてしまう。よって、設定値以上の賞球が払い出されてしまう可能性があるという問題があった。
【特許文献１】特開２００４−１７３８１１号公報  (図２)
【発明の開示】
【発明が解決しようとする課題】
【０００４】
本発明は、上記した従来の問題点に鑑み、遊技の興趣の盛り上げと球の正確な払出しとを行うことができ、且つ薄型化の可能なパチンコ機の大入賞装置を提供することを課題とする。
【課題を解決するための手段】
【０００５】
上記の課題を解決するためになされた本発明のパチンコ機の大入賞装置は、装置本体を遊技盤に取り付けるための台板の前方に球入賞ボックスを突設して、この球入賞ボックスの上面に、大入賞口と、大入賞口の上を水平方向にスライドして当該大入賞口を開閉するシャッター板とを設けるとともに、このシャッター板の上面に大入賞口の方向に向かって低く傾斜したレールを設け、レール上に落下してきた球を大入賞口の方向に案内して入賞させることを特徴とするものである。
【０００６】
なお、装置本体内にソレノイドによって作動されるレバーを配し、このレバーの一端をシャッター板に接続したうえに、他端にソレノイドのプランジャと係合する二股を設け、当該二股の先端には、プランジャの前進状態時および後退状態時に、プランジャの頭部側面に直交して当接可能な先端面をそれぞれ設けることができる。
【発明の効果】
【０００７】
請求項１に係る発明は、台板の前方に突設した球入賞ボックスの上面に、大入賞口とシャッター板とを設けたので、シャッター板が大入賞口上を水平方向にスライドすることによって当該大入賞口を開閉することができる。よって、従来にない新規な構造の大入賞装置を提供することができる。また、従来のように開閉扉が転倒、起立することがないので、大入賞装置の厚みを開閉扉の縦幅よりも薄くできる。
【０００８】
さらに請求項１に係る発明は、大入賞口を閉鎖時にはシャッター板のレールが球を球入賞ボックスの一側に誘導するので、シャッター板は大入賞装置の一側下方に設けられた始動領域等への誘導部材として作用することができる。また、大入賞口を開放時には、シャッター板が大入賞口への入賞領域を横方向に拡張して、入賞の確率を高めることができるという従来にない効果を奏することができる。
また請求項２に係る発明は、二股の先端面にかかる外力がプランジャの進退方向と直交するので、プランジャの前進状態時および後退状態時において、レバーの回動がロックされて外力によるシャッター板の強制的な開閉を防止することができる。
【発明を実施するための最良の形態】
【０００９】
以下に本発明を実施形態に基づき説明する。
図１〜４は、本発明に係る大入賞装置を示す図であって、当該大入賞装置は大入賞口が閉鎖状態である。図において、１は装置本体、２は装置本体１を遊技盤(図示していない)に取り付けるための台板である。台板２には、台板２の前方に突出して球入賞ボックス３が設けられており、この球入賞ボックス３の上面に、大入賞口４と、シャッター板５とが設けられている。大入賞口４は、球入賞ボックス３の上面の一側に寄せて設けられている。また、シャッター板５は、大入賞口４の上を水平方向で台板２と平行する方向にスライドして大入賞口４を開閉する。
【００１０】
球入賞ボックス３は、装置本体１を構成する筐体１１と一体に形成されたボックス本体３１と、ボックス本体３１の前面に嵌め込まれたシール板３２とからなる。
【００１１】
シャッター板５は、その上面に大入賞口４の方向に低く傾斜するレール６が設けられており、レール６上に落下してきた球を整流しつつ大入賞口４の方向に案内する。大入賞口４が閉鎖された状態においては、レール６は球を球入賞ボックス３の一側から下方に落下させる。なお、レール６の球接触面に衝撃吸収材を用いれば、大入賞口４開放時にレール６上に落下した球を確実に大入賞口４に入賞させることができる。反対に、弾性部材を用いれば、レール６上に落下した球が変則的に跳ねるので遊技の興趣を高めることができる。
【００１２】
装置本体１内には、一端がソレノイド７のプランジャ７１と係合し、他端がシャッター板５の裏側に突設された軸８１に係合するレバー８が配設されている。レバー８は支軸８２を中心として回動する。レバー８の一端には二股８３が設けられていて、この二股８３の間にプランジャ７１の頭部７１ａが割り込んで両者が係合している。ソレノイド７は通常は非通電であってプランジャ７１がバネの反発力によりソレノイド７から突出しているので、図１に示すように、レバー８は大入賞口４の方向に回動されている。これによってシャッター板５は大入賞口４の方向にスライドされていて大入賞口４を閉鎖している。
【００１３】
レバー８は、シャッター板５が外力により開閉されるのを防止するロック機構を備える。当該ロック機構を図７、８により説明する。図７はシャッター板５が大入賞口４を閉鎖しているときのロック機構を説明する図であって、前進状態にあるプランジャ７１の頭部７１ａの外周面が、一方の二股８３ａの先端面に当接されている。この状態において、外部からピアノ線等を用いてシャッター板５を強制的に開放させようとした場合には、支軸８２を中心とした時計回り方向の力が働くことにより、二股８３ａの先端面がプランジャ７１の頭部７１ａに対してＦ１の力を及ぼす。このＦ１のかかる力の方向は、プランジャ７１の進退方向と直交方向となるように、二股８３ａの先端面は角度設定されているので、プランジャ７１が押し込まれることがない。よって、レバー８は回動不能にロックされているので、このロック機構により外部からのシャッター板５の強制的な開放を防止することができる。
【００１４】
図８はシャッター板５が大入賞口４を開放しているときのロック機構を説明する図であって、後退状態にあるプランジャ７１の頭部７１ａの外周面が、他方の二股８３ｂの先端面に当接されている。この状態において、何らかの外力によりシャッター板５を強制的に閉鎖しようとした場合には、支軸８２を中心とした反時計回り方向の力が働くことにより、二股８３ｂの先端面がプランジャ７１の頭部７１ａに対してＦ２の力を及ぼす。このＦ２のかかる力の方向は、プランジャ７１の進退方向と直交方向となるように、二股８３ｂの先端面は角度設定されているので、プランジャ７１が押し込まれることがない。レバー８は回動不能にロックされているので、このロック機構によりシャッター板５が閉鎖されるのを防止することができる。よって、遊技者が不利益を被ることはない。
【００１５】
大入賞口４には入賞した球を計数するための入賞球検出装置９が配設されている。大入賞口４は筐体１１内の球通路１２と連通し、大入賞口４に入賞した球を球通路１２を通って入賞させる。
【００１６】
画像表示装置の図柄が揃ったりして大当たりの状態となったときには、図５に示すように、ソレノイド７が通電されてプランジャ７１がソレノイド７の内部に吸引される。これによって、レバー８のソレノイド７側の端部がプランジャ７１により回動されるので、レバー８の軸８１側の端部は、その反対方向に回動される。その結果、シャッター板５は、軸８１とともに一体に移動されるので、シャッター板５は大入賞口４を開放することができる。また、シャッター板５が大入賞口４を開放する方向にスライド移動することによって、シャッター板５と球入賞ボックス３の上面とで球を受けることができるので、入賞領域を横方向に拡張して、大入賞の確率を高めることができる。
したがって、本発明の大入賞装置は、大当たりが発生したときの遊技者の期待感を従来になく高揚させることができるという顕著な効果を奏することができる。
【図面の簡単な説明】
【００１７】
【図１】大入賞口が閉鎖状態である大入賞装置の斜視図である。
【図２】図１の大入賞装置の平面図である。
【図３】図１の大入賞装置の側面図である。
【図４】大入賞装置の側面断面図である。
【図５】大入賞口が閉鎖状態である大入賞装置の斜視図である。
【図６】図５の大入賞装置の正面図である。
【図７】シャッター板が大入賞口を閉鎖している状態のロック機構を説明する図である。
【図８】シャッター板が大入賞口を開放している状態のロック機構を説明する図である。
【符号の説明】
【００１８】
１  装置本体、２  台板、３  球入賞ボックス、４  大入賞口、５  シャッター板、６レール、７  ソレノイド、８  レバー、９  入賞球検出装置
【図１】
0004829602.tif 000002
【図２】
0004829602.tif 000003
【図３】
0004829602.tif 000004
【図４】
0004829602.tif 000005
【図５】
0004829602.tif 000006
【図６】
0004829602.tif 000007
【図７】
0004829602.tif 000008
【図８】
0004829602.tif 000009